(57)【特許請求の範囲】
【請求項１】
供試体たるトランスミッションを取付ける取付治具と、トランスミッションの入力軸に連結される駆動モータと、取付治具及び駆動モータを搭載する定盤とを備えるトランスミッション用台上試験機であって、
取付治具と定盤との間にＶ型のゴムマウントを介設させることを特徴とするトランスミッション用台上試験機。
【請求項２】
前記取付治具を前記弾性体を介して支持する上ベースと、上ベースの下側で前記定盤上に載置される下ベースと、少なくとも３箇所に配置され下ベースに対し上ベースを上下方向に位置調整する上下調整機構とを設けることを特徴とする請求項１記載のトランスミッション用台上試験機。
【発明の詳細な説明】
【技術分野】
【０００１】
本発明は、トランスミッションの性能試験を行うトランスミッション用台上試験機に関する。
【背景技術】
【０００２】
従来、この種のトランスミッション用台上試験機として、供試体たるトランスミッションを取付ける取付治具と、トランスミッションの入力軸に連結される駆動モータと、取付治具及び駆動モータを搭載する定盤とを備えるものが知られている（例えば、特許文献１参照）。
【０００３】
ところで、トランスミッションは、エンジンとともにゴムマウントを介して車体フレームに搭載される。そのため、実車ではトランスミッションが弾性支持されることになり、トランスミッションを試験する際もトランスミッションの弾性支持状態を再現することが望まれる。ここで、上記従来例のものでは、地面の震動の影響をなくすために、定盤の下に弾性体を設けており、この弾性体によりトランスミッションの弾性支持状態をある程度は再現できる。
【０００４】
然し、このものでは、取付治具は駆動モータと共に定盤に固定されているため、駆動モータの振動が定盤と取付治具を介してトランスミッションに伝わってしまい、ギアノイズ等の試験の測定精度に悪影響を与える虞がある。
【先行技術文献】
【特許文献】
【０００５】
【特許文献１】特開２０００−１０５１７１号公報
【発明の概要】
【発明が解決しようとする課題】
【０００６】
本発明は、以上の点に鑑み、駆動モータの振動が試験の測定精度に悪影響を与えることを防止できるようにしたトランスミッション用台上試験機を提供することをその課題としている。
【課題を解決するための手段】
【０００７】
上記課題を解決するために、本発明は、供試体たるトランスミッションを取付ける取付治具と、トランスミッションの入力軸に連結される駆動モータと、取付治具及び駆動モータを搭載する定盤とを備えるトランスミッション用台上試験機であって、取付治具と定盤との間にＶ型のゴムマウントを介設させることを特徴とする。
【０００８】
本発明によれば、駆動モータの振動は定盤を介して弾性体に伝わるが、弾性体により振動が吸収される。そのため、駆動モータの振動が取付治具を介してトランスミッションに伝わることを防止できる。従って、駆動モータの振動がギアノイズ等の試験の測定精度に悪影響を与えることを防止できる。
【０００９】
ここで、トランスミッションの取付誤差や弾性体の変形が生ずると、トランスミッションが所定の試験姿勢とならず、トランスミッションの入力軸が駆動モータの回転軸に対して芯ずれしてしまう。そして、この芯ずれによりトランスミッションの過大な振動やトルクリップルを生ずることがある。そこで、本発明においては、取付治具を弾性体を介して支持する上ベースと、上ベースの下側で定盤上に載置される下ベースと、少なくとも３箇所に配置され下ベースに対し上ベースを上下方向に位置調整する上下調整機構とを設けることが望ましい。これによれば、全ての上下調整機構により上ベースを上下方向に位置調整すると、取付治具が上下方向に位置調整され、トランスミッションの高さが調整される。また、一部の上下機構により上ベースの一部分を上下方向に位置調整すると、取付治具の一部分が上下方向に位置調整され、トランスミッションの傾きが調整される。そのため、上下調整機構により上ベースを上下方向に位置調整することで、トランスミッションの姿勢を調整できる。その結果、トランスミッションの過大な振動やトルクリップル等の試験結果への悪影響を無くすことができる。
【図面の簡単な説明】
【００１０】
【図１】本発明の実施形態のトランスミッション用台上試験機の平面図。
【図２】実施形態のトランスミッション用台上試験機の正面図。
【図３】実施形態のトランスミッション用台上試験機の要部の側面図。
【図４】図１のＩＶ−ＩＶ線で切断した断面図。
【図５】図１のＶ−Ｖ線で切断した切断側面図。
【発明を実施するための形態】
【００１１】
図１乃至図３を参照して、１は、トランスミッションＴの性能試験を行う本発明の実施形態のトランスミッション用台上試験機を示している。尚、図示のトランスミッションＴは、ＦＦ式自動車に用いられるトランスアクスルであるが、ＦＲ式自動車用のトランスミッションであってもよい。台上試験機１は、トランスミッションＴを取付ける取付治具２と、トランスミッションＴの入力軸に連結装置３により連結される駆動モータ４と、取付治具２及び駆動モータ４を搭載する定盤５と、トランスミッションＴの第１と第２の一対の出力軸Ｔａ１，Ｔａ２に夫々連結される図示省略した動力計とを備えている。尚、図１で６は、動力計の軸を示している。
【００１２】
取付治具２と定盤５との間には、弾性体たるＶ型のゴムマウント７が複数（例えば、４個）介設されている。図４乃至図５も参照して、更に、取付治具２をゴムマウント７を介して支持する複数（例えば、２個）の上ベース８１と、上ベース８１の下側で定盤５上に載置される下ベース８２と、各上ベース８１の所定の２箇所に夫々配置され下ベース８２に対し上ベース８２を上下方向に位置調整する上下調整機構たるジャッキボルト８３とが設けられている。各ジャッキボルト８３は、その下端が下ベース８２の上面に当接するように上ベース８１に螺挿されている。そして、ジャッキボルト８３を回転させて、下ベース８２に対し上ベース８１を上下方向に位置調整し、ジャッキボルト８３に螺合させたナット８３ａを締め付けてジャッキボルト８３を所要の調整位置に固定するようにしている。
【００１３】
各上ベース８１は、下ベース８２上に設けられた左右のブラケット８４，８４間に挟まれており、各ブラケット８４に形成した上下方向に長手の長穴８４ａを通じて上ベース８１に螺合するボルト８５を設けて、長穴８４ａが各上ベース８１を上下方向に位置調整する際のガイドとして機能し、更に、ボルト８５により各上ベース８１がブラケット８４を介して下ベース８２に固定されるようにしている。また、上ベース８１とブラケット８４との間及びブラケット８４とボルト８５の頭部との間には、凹状のリング８６ａと凸状のリング８６ｂとから構成される球面座金８６が夫々介設されており、リング８６ａの凹面とリング８６ｂの凸面とが摺接して、上ベース８１が傾いていても上ベース８１を下ベース８２に固定できるようにしている。
【００１４】
また、台上試験機１には、下ベース８２を水平方向に位置調整する複数（例えば、６個）の調整ねじ８７が設けられている。各調整ねじ８７は、その先端が下ベース８２の側面に当接するように定盤５上に配置されている。そして、調整ねじ８７を回転させて、下ベース８２を水平方向に位置調整して、上ベース８１を水平方向に位置調整するようにしている。
【００１５】
ところで、トランスミッションＴは、エンジンとともにゴムマウントを介して車体フレームに搭載される。そのため、実車ではトランスミッションＴが弾性支持されることになり、トランスミッションＴを試験する際もトランスミッションＴの弾性支持状態を再現することが望まれる。そして、これを再現するために、定盤５の下にゴムマウントを設けることも可能である。然し、そのように再現したのでは、取付治具２を駆動モータ４と共に定盤５に固定することになり、駆動モータ４の振動が定盤５と取付治具２を介してトランスミッションＴに伝わってしまい、ギアノイズ等の試験の測定精度に悪影響を与える虞がある。
【００１６】
それに対し、本実施形態によれば、駆動モータ４の振動は定盤５を介してゴムマウント７に伝わるが、ゴムマウント７により振動が吸収される。そのため、駆動モータ４の振動が取付治具２を介してトランスミッションＴに伝わることを防止できる。従って、駆動モータ４の振動がギアノイズ等の試験の測定精度に悪影響を与えることを防止できる。
【００１７】
ここで、トランスミッションＴの取付誤差やゴムマウント７の変形が生ずると、トランスミッションＴが所定の試験姿勢とならず、トランスミッションＴの入力軸が駆動モータ４の回転軸に対して芯ずれしてしまう。そして、この芯ずれによりトランスミッションＴの過大な振動やトルクリップルを生ずることがある。
【００１８】
本実施形態によれば、全てのジャッキボルト８３により上ベース８１を上下方向に位置調整すると、取付治具２が上下方向に位置調整され、トランスミッションＴの高さが調整される。また、一部のジャッキボルト８３により上ベース８１の一部分を上下方向に位置調整すると、取付治具２の一部分が上下方向に位置調整され、トランスミッションＴの傾きが調整される。そのため、ジャッキボルト８３により上ベース８１を上下方向に位置調整することで、トランスミッションＴの姿勢を調整できる。その結果、トランスミッションＴの過大な振動やトルクリップル等の試験結果への悪影響を無くすことができる。
【００１９】
以上、本発明の実施形態について図面を参照して説明したが、本発明はこれに限定されない。例えば、上記実施形態では、Ｖ型のゴムマウント７を用いたが、丸型等他の形状を有するゴムマウントを用いてもよく、また、弾性体はゴムマウントに限定されない。
【符号の説明】
【００２０】
Ｔ…トランスミッション、１…台上試験機、２…取付治具、４…駆動モータ、５…定盤、７…ゴムマウント（弾性体）、８１…上ベース、８２…下ベース、８３…ジャッキボルト（上下調整機構）。
【図１】
0006392615.tif 000002
【図２】
0006392615.tif 000003
【図３】
0006392615.tif 000004
【図４】
0006392615.tif 000005
【図５】
0006392615.tif 000006